(57)【要約】【課題】画像読み取りのための処理時間や処理内容などに応じて適切な読取モードに設定し、各読取手段を効率的に作動させて両面原稿の画像を読み取るようにする。【解決手段】第１の画像読取手段７−１及び第２の画像読取手段７−２を用いて両面原稿の画像を読み取る第１の読取モードと、第１の画像読取手段７−１のみを用いて両面原稿の画像を読み取る第２の読取モードを設定可能なモード設定手段と、両面原稿を第１及び第２の画像読取手段の各読取位置に自動的に給送する原稿給送手段と、制御手段１５とを備える。【選択図】        図２
2006025445.tif 000002
【特許請求の範囲】
【請求項１】
第１の画像読取手段及び前記第１の画像読取手段と異なる第２の画像読取手段を用いて両面原稿の画像を読み取る第１の読取モードと、前記第１の画像読取手段のみを用いて前記両面原稿の画像を読み取る第２の読取モードを設定可能なモード設定手段と、
前記第１の画像読取手段の読取位置に前記両面原稿の第１面が位置するとともに前記第２の画像読取手段の読取位置に前記両面原稿の第２面が位置する第１の状態、又は前記第１の画像読取手段の読取位置に前記両面原稿の第２面が位置するとともに前記第２の画像読取手段の読取位置に前記両面原稿の第１面が位置する第２の状態になるように前記両面原稿を前記第１及び第２の画像読取手段の各読取位置に自動的に給送する原稿給送手段と、
前記モード設定手段により前記第１の読取モードに設定された場合に、前記原稿給送手段により前記両面原稿を前記第１の状態で前記第１及び第２の画像読取手段の各読取位置に給送して前記第１及び第２の画像読取手段に前記両面原稿の第１面及び第２面の画像をそれぞれ読み取らせるように制御し、前記モード設定手段により前記第２の読取モードに設定された場合に、前記原稿給送手段により前記両面原稿を前記第１の状態で前記第１の画像読取手段の読取位置に給送して前記第１の画像読取手段に前記両面原稿の第１面を読み取らせるとともに前記両面原稿を前記第２の状態で前記第１の画像読取手段の読取位置に給送して前記第１の画像読取手段に前記両面原稿の第２面を読み取らせるように制御する制御手段と、
を備えたことを特徴とする画像読取装置。
【請求項２】
さらに、前記第１の画像読取手段を移動走査させるための駆動手段と、前記原稿給送手段により給送される原稿を載置するための原稿給送用載置部と、原稿を固定載置した状態で読み取るための原稿固定載置部とを備え、前記モード設定手段は、前記駆動手段により前記第１の画像読取手段を前記原稿固定載置部に対して移動走査させることにより前記原稿固定載置部に固定載置された原稿の画像を前記第１の画像読取手段により読み取る第３のモードを設定可能であることを特徴とする請求項１に記載の画像読取装置。
【請求項３】
前記第２の画像読取手段の読取能力は、前記第１の画像読取手段の読取能力よりも低いことを特徴とする請求項１又は２に記載の画像読取装置。
【請求項４】
前記第１の画像読取手段は、前記原稿の画像をカラー画像として読み取り可能であり、前記第２の画像読取手段は、前記原稿の画像を白黒画像としてのみ読み取り可能であることを特徴とする請求項３に記載の画像読取装置。
【請求項５】
前記第１の画像読取手段は、前記原稿の画像を多値画像として読み取り可能であり、前記第２の画像読取手段は、前記原稿の画像を２値画像としてのみ読み取り可能であることを特徴とする請求項３に記載の画像読取装置。
【請求項６】
前記第２の画像読取手段の読取解像度は、前記第１の画像読取手段の読取解像度よりも低いことを特徴とする請求項３に記載の画像読取装置。
【請求項７】
前記第１の画像読取手段の読取可能サイズよりも、前記第２の画像読取手段の読取可能サイズの方が小さいことを特徴とする請求項３に記載の画像読取装置。
【請求項８】
前記第１の画像読取手段による所定サイズ原稿の読取可能時間よりも、前記第２の画像読取手段による前記所定サイズ原稿の読取可能時間の方が長いことを特徴とする請求項３に記載の画像読取装置。
【請求項９】
白黒読み取りとカラー読み取りを指定可能な指定手段を備え、前記モード設定手段は、前記指定手段により前記白黒読み取りが指定された場合に、前記第１の読取モードに設定し、前記指定手段により前記カラー読み取りが指定された場合に、前記第２の読取モードに設定することを特徴とする請求項１乃至８のいずれか１項に記載の画像読取装置。
【請求項１０】
第１の画像読取手段の読取位置に両面原稿の第１面が位置するとともに前記第１の画像読取手段と異なる第２の画像読取手段の読取位置に前記両面原稿の第２面が位置する第１の状態、又は前記第１の画像読取手段の読取位置に前記両面原稿の第２面が位置するとともに前記第２の画像読取手段の読取位置に前記両面原稿の第１面が位置する第２の状態になるように前記両面原稿を前記第１及び第２の画像読取手段の各読取位置に自動的に給送する原稿給送手段を備えた画像読取装置の制御方法であって、
前記第１の画像読取手段及び前記第２の画像読取手段を用いて両面原稿の画像を読み取る第１の読取モードと、前記第１の画像読取手段のみを用いて前記両面原稿の画像を読み取る第２の読取モードのいずれかの読取モードに設定するモード設定ステップと、
前記モード設定ステップにおいて前記第１の読取モードに設定された場合に、前記原稿給送手段により前記両面原稿を前記第１の状態で前記第１及び第２の画像読取手段の各読取位置に給送して前記第１及び第２の画像読取手段に前記両面原稿の第１面及び第２面の画像をそれぞれ読み取らせるように制御し、前記モード設定ステップにおいて前記第２の読取モードに設定された場合に、前記原稿給送手段により前記両面原稿を前記第１の状態で前記第１の画像読取手段の読取位置に給送して前記第１の画像読取手段に前記両面原稿の第１面を読み取らせるとともに前記両面原稿を前記第２の状態で前記第１の画像読取手段の読取位置に給送して前記第１の画像読取手段に前記両面原稿の第２面を読み取らせるように制御する制御ステップと、
を備えたことを特徴とする画像読取装置の制御方法。
【発明の詳細な説明】
【技術分野】
【０００１】
本発明は、画像を読み取り、読み取った画像をホストコンピュータまたは画像形成装置などに送出する画像読取装置に関するものである。
【背景技術】
【０００２】
この種の装置として具体的には、読み取った画像をホストコンピュータに送るスキャナ装置、１対１に接続された画像読取部および画像形成部間で可視画像の複写を行うスタンドアロン複写機の画像読取部、ネットワーク接続されたネットワーク複写機間で可視画像の複写を行うネットワーク複写機の画像読取部、ファクシミリ装置の画像読取部あるいは画像ファイリング装置の画像読取部などの画像読取装置がある。
【０００３】
従来たとえば、アナログ式複写機では原稿に光を照射し、その反射光を感光ドラムに導くことで画像形成を行っている。このため光路系の制限により、両面原稿の読取りは原稿を反転させながら片方ずつ行う必要があった。その後、複写機がデジタル化され、画像の読取りをＣＣＤなどにより行うことになったことで、画像の読取りに関しては必ずしも片面ずつ行う必要はなくなった。しかし画像形成部が片面ずつしか画像を形成できない点と、上記アナログ式複写機からの延長により、両面原稿の両面同時読取りを行う複写機は製品化されていなかった。
【０００４】
詳しく説明すると、従来の複写機ではまず、画像読取部と画像形成部は１対１に接続される。そして通常、片面読取りの最大速度と片面の画像形成の最大速度が同じになるように設計される。一方、両面の画像形成の場合は、片面の２倍以上かかるため、読込みも片面の２倍以上かかってもよい。すなわち従来では、読込みのみを両面同時読取りにして速くしても意味がなかった。
【０００５】
一方、ファクシミリやファイリング装置では、両面同時読取りの可能なものが提案されている（特許文献１、特許文献２）。ところが、ファクシミリやファイリング装置においては、その出力は白黒２値データであり、白黒多値データやカラーデータを扱うのものは提案されていない。また、両面同時読取りを行う各読取手段の読取能力は同じであった。
【０００６】
【特許文献１】特開平９−１１６７１４号公報
【特許文献２】特開平６−１２５４５３号公報
【発明の開示】
【発明が解決しようとする課題】
【０００７】
近年、ハードディスクやＤＲＡＭ等の画像記憶手段の値段が低下し、画像読取装置に大容量の画像記憶手段を搭載できるようになってきた。この場合、両面原稿を両面同時に読み込んで画像記憶手段に書き込むことができれば、ユーザは早く原稿を持って戻ることが可能になる。これは、特にスキャナ装置やファクシミリ装置の場合に有効であり、また複写機においても部数が多い場合等には有効である。
【０００８】
近年また、複写機の画像読取部で読み込んだ画像データを、ネットワークを経由して他の複写機の画像形成部で形成するネットワーク複写機能が提案されている。このように画像読取部と画像形成部が従来の複写機のように１対１に接続されていない場合は、画像形成部の片面の画像形成速度が、画像読取部の片面の画像読取速度よりも速いケースも生じる。この場合、画像読取部で両面原稿を両面同時に読み込めれば、速い画像形成部の能力を活かすことができる。
【０００９】
一方、原稿を片面ずつ読み取る従来の複写機の画像読取装置では、ブック原稿とシート原稿の両方を読める構成になっているものが多い。すなわちブック原稿用の原稿載置部の上部に開放可能なシート原稿用の原稿給紙部を持ち、原稿給紙部を上部に開放した状態でブック原稿を読み、原稿給紙部を閉じた状態でシート原稿を読む構成になっている。
【００１０】
このようにブック原稿とシート原稿の両方を読める構成の画像読取装置において、両面原稿の両面同時読取りを行おうとする場合、上側の面の読取手段は、原稿給紙部に内蔵するのが好ましい構成となる。このため上側の面の読取手段の大きさには制限が生じる。また原稿給紙部は、ブック原稿かシート原稿かに応じて操作者が上下に手動で移動させる必要があるため、重さにも制限が生じる。このため上側の面の読取手段を、下側の面の読取手段と同じ読取能力のものを装着すると、原稿給紙部が重くなったり大型化して操作者が操作し難くなるという問題が生じる。
【００１１】
また、高機能な読取手段は、低機能のものに比べてコストが高くなる。たとえばカラーの読取手段は、白黒のものに比べてコストが高くなる。一方、現在のところカラーの大量両面文書の読取りは、白黒の大量両面文書の読取りに比べてニーズが少ない。したがって、カラーの大量両面文書の両面同時読取りができなくても、白黒の大量両面文書の両面同時読取りができれば、多くのユーザのニーズを満足させることができる。
【００１２】
ファクシミリやファイリング装置では、両面同時読取りの可能なものが提案されている。これらの装置ではシート原稿のみを読み込む構成となっており、片側の読取手段を操作者が手動で移動させる必要がなかった。また、その出力は低解像度の白黒２値データであり、読取手段の規模は小さいため両側に同じ読取能力のものを配置しても問題ない。実際、両側の読取能力に差をつける提案はされてこなかった。これに対して複写機、特にカラー複写機で扱う画像データは、カラーの高解像度の多値画像データである。そして読取手段の規模が大きいため、両側に同じ読取能力のものを配置するのは、重さ、大きさあるいはコスト等の面で実質的に困難である。
さらに、前述のように複写機をメモリ経由の構成やネットワーク経由の構成にすると、両面同時読取りの頻度が高くなることが想定される。また、データの種類等も多岐にわたり、このような状況下では適正かつ効率的に画像を読み取るという要請が益々高くなってきている。
【００１３】
本発明は上述の事情に鑑みてなされたものであり、両面原稿の両面同時読取りを行う画像読取装置において、両面を読み取る各読取手段の読取能力に差をつけることにより、ニーズの多い動作モードについて両面同時読取りの可能な画像読取装置を安価に、そして小型化された構成で提供し、さらに各読取手段の読取特性が異なる場合でも、画像読み取りのための処理時間や処理内容などに応じて適切な読取モードに設定し、各読取手段を効率的に作動させて両面原稿の画像を読み取るようにすることを目的とする。
【課題を解決するための手段】
【００１４】
本発明による画像読取装置は、第１の画像読取手段及び前記第１の画像読取手段と異なる第２の画像読取手段を用いて両面原稿の画像を読み取る第１の読取モードと、前記第１の画像読取手段のみを用いて前記両面原稿の画像を読み取る第２の読取モードを設定可能なモード設定手段と、前記第１の画像読取手段の読取位置に前記両面原稿の第１面が位置するとともに前記第２の画像読取手段の読取位置に前記両面原稿の第２面が位置する第１の状態、又は前記第１の画像読取手段の読取位置に前記両面原稿の第２面が位置するとともに前記第２の画像読取手段の読取位置に前記両面原稿の第１面が位置する第２の状態になるように前記両面原稿を前記第１及び第２の画像読取手段の各読取位置に自動的に給送する原稿給送手段と、前記モード設定手段により前記第１の読取モードに設定された場合に、前記原稿給送手段により前記両面原稿を前記第１の状態で前記第１及び第２の画像読取手段の各読取位置に給送して前記第１及び第２の画像読取手段に前記両面原稿の第１面及び第２面の画像をそれぞれ読み取らせるように制御し、前記モード設定手段により前記第２の読取モードに設定された場合に、前記原稿給送手段により前記両面原稿を前記第１の状態で前記第１の画像読取手段の読取位置に給送して前記第１の画像読取手段に前記両面原稿の第１面を読み取らせるとともに前記両面原稿を前記第２の状態で前記第１の画像読取手段の読取位置に給送して前記第１の画像読取手段に前記両面原稿の第２面を読み取らせるように制御する制御手段と、を備えたことを特徴とする。
【００１５】
また、本発明による画像読取装置の制御方法は、第１の画像読取手段の読取位置に両面原稿の第１面が位置するとともに前記第１の画像読取手段と異なる第２の画像読取手段の読取位置に前記両面原稿の第２面が位置する第１の状態、又は前記第１の画像読取手段の読取位置に前記両面原稿の第２面が位置するとともに前記第２の画像読取手段の読取位置に前記両面原稿の第１面が位置する第２の状態になるように前記両面原稿を前記第１及び第２の画像読取手段の各読取位置に自動的に給送する原稿給送手段を備えた画像読取装置の制御方法であって、前記第１の画像読取手段及び前記第２の画像読取手段を用いて両面原稿の画像を読み取る第１の読取モードと、前記第１の画像読取手段のみを用いて前記両面原稿の画像を読み取る第２の読取モードのいずれかの読取モードに設定するモード設定ステップと、前記モード設定ステップにおいて前記第１の読取モードに設定された場合に、前記原稿給送手段により前記両面原稿を前記第１の状態で前記第１及び第２の画像読取手段の各読取位置に給送して前記第１及び第２の画像読取手段に前記両面原稿の第１面及び第２面の画像をそれぞれ読み取らせるように制御し、前記モード設定ステップにおいて前記第２の読取モードに設定された場合に、前記原稿給送手段により前記両面原稿を前記第１の状態で前記第１の画像読取手段の読取位置に給送して前記第１の画像読取手段に前記両面原稿の第１面を読み取らせるとともに前記両面原稿を前記第２の状態で前記第１の画像読取手段の読取位置に給送して前記第１の画像読取手段に前記両面原稿の第２面を読み取らせるように制御する制御ステップと、を備えたことを特徴とする。
【発明の効果】
【００１６】
本発明によれば、２つの画像読取手段の読取特性が異なる場合であっても、画像読み取りのための処理時間や処理内容などに応じて、第１の画像読取手段及び第２の画像読取手段を用いて両面原稿の画像を読み取る第１の読取モードと、第１の画像読取手段のみを用いて両面原稿の画像を読み取る第２の読取モードのいずれかの読取モードに設定して、両面原稿の画像を読み取ることができる。
【発明を実施するための最良の形態】
【００１７】
以下、図面に基づき本発明の好適な実施の形態を説明する。
（第１の実施形態）
図２は、本発明のこの実施形態における画像読取装置であるネットワーク複写機１のブロック図である。ネットワーク複写機１は、従来のスタンドアロン複写機としてのカラー多値ローカルコピー機能の他に、カラー多値スキャナとしての機能と、カラー多値プリンタとしての機能と、ネットワークで接続されたネットワーク複写機間で複写を行うカラー多値リモートコピー機能と、カラー多値ファクシミリ機能も持つ複合機である。
【００１８】
ネットワーク複写機（以下、複写機と略記する）１は他の複写機４−１および４−２やコンピュータ３−１および３−２等とネットワーク２を介して接続されている。本実施形態の場合、このネットワーク２はイーサネット（登録商標）で構成されているが、複数の機器をネットワーク接続するものであれば、他のインタフェースでもよい。
【００１９】
図２は複写機１について示しているが、他の複写機４−１，４−２も同様な構成である。まず複写機１をスタンドアロン複写機として用いる場合は、後述する原稿載置部上に置かれた原稿を画像読取部７で読み取って電気信号に変える。そして読取特性補正部８で画像読取部７の特性補正を行い、画像処理部９で様々なデジタル画像処理を行い、画像形成部１１で画像を形成する。
【００２０】
本発明の画像読取装置は、両面原稿の両側の面を２つの画像読取部７−１，７−２により、実質的にほぼ同時に読み取る機能を持っている。片面原稿および両面原稿の第１面は、画像読取部７−１で読み取り、両面原稿の第２面は、画像読取部７−２で読み取る。このように両面原稿の両側をほぼ同時に読み取ることにより、両面原稿の読取時間を短くすることができ、操作者が読取りを待つ時間を短くすることができる。
【００２１】
このように両面同時読取りを行う場合、２つの画像読取部７−１，７−２の読取特性を合わせることが重要である。特に画像読取部７が白黒２値読取機能だけでなく、本実施形態のようにカラー多値読取機能を持っている場合には、差異が目立つため、より重要となってくる。このため本実施形態では各画像読取部７−１，７−２で読み取った画像データを、読取特性補正部８−１，８−２でそれぞれ補正することにより両者の読取特性を合わせるようにしている。
【００２２】
また第１の画像読取部７−１は、カラー多値画像データの読取りが可能であるが、第２の画像読取部７−２は、白黒多値画像データの読取りが可能な構成となっている。すなわち両側の画像読取部の能力に差をつけた構成となっている。これは現在、カラーの大量な両面文書を読むニーズが、白黒の大量な両面文書を読むニーズに比べて少ないため、白黒の大量な両面文書を両面同時読取りさえできれば、多くのニーズを満足させることができるためである。またカラーの画像読取部は白黒の画像読取部に比べて、ＲＧＢのＣＣＤを使う必要があり、読み取ったデータを処理する回路も約３倍必要である。さらに光量も上げる必要があるため大規模となり、大きく、重く、コストも高いものになる。
【００２３】
したがって第２の画像読取部７−２については白黒多値画像データの読取りが可能な構成にすることで、第２の画像読取部７−２の大きさ、重さ、コストを抑えることができる。しかも白黒の大量な両面文書については両面同時読取りが可能となる。第１の画像読取部７−１は、カラー多値画像データの読取りが可能であるが、読み取ったカラー画像データは画像処理部９で白黒多値画像データに変換可能な構成となっている。また第１の画像読取部７−１で読み取ったカラー画像データや第２の画像読取部７−２で読み取った白黒多値画像データは、画像処理部９で白黒２値画像データに変換可能な構成となっている。
【００２４】
複写機１をスタンドアロン複写機として用いる場合、片面原稿および両面原稿の第１面については、画像読取部７−１で読み取った画像データは、画像メモリ１３を経由することなく、そのまま画像形成部１１に送られて画像形成が行われる。一方、両面原稿の第２面については、第１面とほぼ同時に読取りが行われるが、画像形成部１１による画像形成が片面ずつしか行えないため、画像読取部７−２で読み取った画像データは、画像メモリ１３に一旦書き込まれる。そして画像形成部で第１面が形成された後、画像メモリ１３から読み出された第２面の画像データは、画像形成部１１に送られ、第２面の画像形成が行われる。
【００２５】
つぎに複写機１をプリンタとして用いる場合は、外部装置であるコンピュータ３から送られてきたぺ一ジ記述言語（ＰＤＬ：Page Description Language ）で記述されたＰＤＬデータは外部インタフェース５およびＣＰＵバス１９を経由して、ＣＰＵ１５の制御により画像メモリ１３にラスタ画像として展開される。そして画像形成部１１に起動がかけられる。画像メモリ１３から読み出された画像データ１４は、画像処理部９を経由して画像形成部１１に送られ、ここで画像形成が行われる。
【００２６】
つぎに複写機１をスキャナとして用いる場合には、後述する原稿載置部上に置かれた原稿を画像読取部７で読み取って、電気信号に変える。そして読取特性補正部８で各画像読取部の特性補正を行い、画像処理部９で様々なデジタル画像処理を行う。画像処理された画像データ１２は、画像メモリ１３にラスタ画像として書き込まれる。つぎに画像メモリ１３から読み出されたラスタ画像データは、ＣＰＵバス１９および外部インタフェース５を経由して、ＣＰＵ１５の制御により外部装置であるコンピュータ３に送出される。
【００２７】
本実施形態の場合、ラスタ画像データは圧縮されないで送出されるが、圧縮して送出するようにしてもよい。また外部装置であるコンピュータ３への送出は、ネットワーク２を経由して送出されるが、このとき画像データは複数のパケットに分割されて、不連続に出力される。これは、複数の装置が接続されるネットワーク２を占有しないようにするためである。複数のパケットに分割された画像データは、受信側のコンピュータ３で復元される。
【００２８】
複写機１をスキャナとして用いる場合、片面原稿については画像読取部７−１で読み取った片面分の画像データは画像メモリ１３を経由して、各ペ一ジごとに順番にコンピュータ３に送出される。一方、両面原稿については第１面と第２面の読取りがほぼ同時に行われ、読み取られた各画像データはパラレルに画像メモリ１３に書き込まれる。そして１枚の両面原稿に関して、第１面の画像データと第２面の画像データが画像メモリ１３に書き込まれた後、各ペ一ジごとに順番にコンピュータ３に送出される。
【００２９】
本実施形態では、このように両面同時読取りの場合でも両面の各ペ一ジごとに順番にコンピュータ３に送出するようにしている。これは、コンピュータ側の受信処理を片面の場合と同じにできるという利点がある。一方、両面同時読取りの場合には両面の画像データを画素ごと、あるいはラインごとに交互にコンピュータ３に送出するようにした場合も本発明の実施例として含まれる。この方式は、両面同時読取りの場合のコンピュータ側の受信処理を片面の場合と変える必要が生じるが、両面の全ての画像データが画像メモリ１３に書き込まれる前に転送を開始でき、また画像メモリ１３の容量が少なくてもよいという利点がある。
【００３０】
また本実施形態では、１枚の原稿ごとに画像データの読取りとコンピュータ３への送出を繰り返すようにしている。これは、画像メモリ１３の容量が比較的小さくて済むという利点がある。一方、ハードディスク等の大量の画像メモリを持ち、原稿給紙用載置部３１に置かれた複数枚の原稿の画像データを画像メモリに書き込んだ後に、コンピュータ３へ送出するようにした場合も本発明の他の実施例として含まれる。この場合、片面読取りあるいは両面同時読取りで読み取った画像データは、コンピュータ３への送出とは非同期に画像メモリ１３に書き込まれる。一方、画像メモリ１３から読み出された画像データは、画像の読取りとは非同期にコンピュータ３へ送られる。このように構成することにより、コンピュータ３への送出に時間がかかる場合でも、送出完了を待つことなく、画像の読取りが行えるため読取作業が早く終了し、操作者は早く原稿を持って立ち去ることができるという利点がある。
【００３１】
つぎに複写機１を読取側のネットワーク複写機として用いる場合には、スキャナとして用いる場合と同様に、外部装置である他の複写機４−１や４−２に送出される。ただし、スキャナとして用いる場合と読取側のネットワーク複写機として用いる場合とでは、適用される機能が異なるため異なる処理となる。たとえば複写機としては拡大、縮小、トリミング、マスキングおよびセンター移動など多彩な機能が必要である。スキャナとして用いる場合は、後にコンピュータ側で自由に処理することができるため、必ずしも必要でない。また複写機としては、読取側の複写機と画像形成側の複写機とが機械的動作に関して同期して動作しないと高い生産性が得られない。これに対してスキャナとして用いる場合は、コンピュータ側での処理は全て電気的な処理であるため、同期させる必要がなく非同期でよいという違いがある。複写機１を読取側のネットワーク複写機として用いる場合の両面原稿の画像データの送り方は、スキャナとして用いる場合と同様である。
【００３２】
つぎに複写機１を画像形成側のネットワーク複写機として用いる場合には、プリンタとして用いる場合と同様にして、外部装置である他の複写機４−１や４−２から送られてきた画像データを受け取り、画像形成が行われる。ただし、プリンタとして用いる場合と画像形成側のネットワーク複写機として用いる場合とでは、適用される機能が異なるため異なる処理となる。たとえばプリンタの場合はコンピュータからＰＤＬデータを受け取って、それをラスタ画像データに展開してプリントする。画像形成側のネットワーク複写機の場合は、読取側のネットワーク複写機からラスタ画像データを受け取ってプリントするという違いがある。またプリンタの場合はコンピュータ側の処理とプリンタ側の処理とは同期する必要はなく、バッチ処理的に処理される。画像形成側のネットワーク複写機の場合は、生産性を上げるためには読取側のネットワーク複写機の読取動作と同期して形成動作を行う必要があるという違いがある。
【００３３】
つぎに複写機１を読取側のファクシミリとして用いる場合には、スキャナとして用いる場合と同様にして、読み取ったラスタ画像データが画像メモリ１３に書き込まれる。ついで画像メモリ１３内のラスタ画像データは、ＣＰＵ１５によりＪＰＥＧ法などを用いて符号化処理を施され、コードデータとして再び、画像メモリ１３に書き込まれる。ついでＣＰＵ１５により画像メモリ１３から読み出されたコードデータは、モデム２０に書き込まれて変調され、ＣＣＩＴＴ勧告によって定められた通信機能に基づいて、公衆回線２１を経由して他のファクシミリ装置に送られる。複写機１を読取側のファクシミリとして用いる場合の両面原稿の画像データの送り方は、スキャナとして用いる場合と同様である。
【００３４】
つぎに複写機１を画像形成側のファクシミリとして用いる場合には、公衆回線２１を経由して送られてきた変調データは、モデム２０でコードデータに戻される。そのコードデータは一度画像メモリ１３に書き込まれ、ついでＣＰＵ１５によりデコード処理を施され、ラスタ画像データとして再び、画像メモリ１３に書き込まれる。ついで画像メモリ１３から読み出されたラスタ画像データ１４は、画像処理部１４に送られる。ここで解像度変換等の画像処理を施され、画像処理を施されたラスタ形式の画像データ１０は画像形成部１１に送られて、ここで画像形成が行われる。
【００３５】
このように第１面の原稿読取部７−１および第２面の原稿読取部７−２は、走査機能を行う場合、ネットワーク複写機としてリモートコピーを行う場合、ファクシミリ送信を行う場合、スタンドアロン複写機としてローカルコピーを行う場合、これらいずれの場合にも兼用して使われる。操作部６は、操作者により種々の操作指示を行うためのものである。ＣＰＵ１５は複写機１の制御を行うものであり、ＲＯＭ１６はＣＰＵ１５で動作するプログラムや固定的データを保存するためのものである。揮発性ＲＡＭ１７は、電源をオフすると中身のデータが揮発してしまう、作業用データを保持する書換え可能なメモリである。一方、不揮発性ＲＡＭ１８は、電源をオフしても中身のデータが揮発しない、半恒久的データを保持する書換え可能なメモリである。
【００３６】
図３は、複写機１の外観図である。図３（Ａ）は、シート原稿を読む場合の状態を示し、図３（Ｂ）は、ブック原稿を読む場合の状態を示している。画像形成部１１の上部に、原稿を読み取るためのスキャナ部の本体部３９が置かれ、その上部に原稿給紙部４０が配置され、その手前に操作部６が配置される。原稿給紙部４０は、図３（Ｂ）のように奥側を固定点として、手前が上部に開く構成となっている。シート原稿を読み取る場合、図３（Ａ）のように原稿給紙部４０を閉じた状態で、原稿給紙部４０上の後述する原稿給紙用載置部に複数枚のシート原稿を置いて読込みを指示する。一方、ブック原稿を読み取る場合には原稿給紙部４０を上げて、原稿載置部４１の上にブック原稿を下向きに載置して読込みを指示する。
【００３７】
図４は、原稿給紙部４０を閉じた状態のスキャナ部を手前から見た概略断面図である。ブック原稿を読み取る場合には、原稿給紙部４０を上げて、原稿載置部４１の上に原稿を下向きに載置して原稿給紙部４０を下げて原稿を押さえる。第１の画像読取部７−１を、図示しない駆動系によって読取開始位置４３まで移動する。つぎに矢印４２の方向に走査することにより読取りを行う。画像読取部７−１は、図示しない光源とＣＣＤ等の画像読取素子と光学系とから構成される。光源から出た光は、ガラスで構成された原稿載置部４１を透過して原稿で反射する。その反射光を画像読取素子で読み取ることにより、画像データの読取りを行う。
【００３８】
一方、シート原稿を読み取る場合は、まず１枚以上で構成されるシート原稿を原稿給紙用載置部３１に置く。原稿給紙用載置部３１に置かれた原稿は、ローラ３２、ガイド３３およびローラ３４により上から１枚ずつ給紙される。そして第２の画像読取部７−２と第１の画像読取部７−１の前を通過し、シート状ローラ３５、ガイド３６およびローラ３７により原稿排紙部３８に排紙される。片面原稿および両面原稿の第１面（原稿給紙用載置部３１に置かれた状態で上側の面）は、原稿が通過するのに合わせて、第１の画像読取部７−１で画像の読取りが行われる。一方、両面原稿の第２面（原稿給紙用載置部３１に置かれた状態で下側の面）は、原稿が通過するのに合わせて、第２の画像読取部７−２で画像の読取りが行われる。
【００３９】
第２の画像読取部７−２も第１の画像読取部７−１と同様に、図示しない光源とＣＣＤ等の画像読取素子と光学系から構成されるが、第１の画像読取部７−１と異なり固定位置で使用される。また、図３のように第２の画像読取部７−２は、原稿給紙部４０に内蔵される構成となっており、ブック原稿の読取時には、図３（Ｂ）のように原稿給紙部４０の上部への開放に伴って移動し、読取りには使われない。一方、シート原稿の場合には、図３（Ａ）のように原稿給紙部４０を閉じることに伴って移動し、読取りに使われる。
【００４０】
またブック原稿の場合には、原稿を固定して画像読取部７−１を走査させることで原稿全体の読取りを行う。シート原稿の場合には画像読取部７−１，７−２を固定して、原稿の方を移動させることにより原稿全体の読取りを行う。ブック原稿の読取りにおいて画像読取部７−１を矢印４２の方向に走査して読み取ったのは、シート原稿の走査方向とブック原稿の走査方向を、原稿に対して相対的に同じにするためである。しかしローカルコピーにおいても、読み取った画像データを画像メモリ１３に一度蓄積する構成にすれば、画像メモリ１３において走査方向の違いは吸収可能である。このような場合はブック原稿の読取りにおいて画像読取部７−１を矢印４２と逆の方向に走査して読み取るようにしてもよい。
【００４１】
図４において第１の画像読取部７−１と第２の画像読取部７−２は、少し位置をずらして配置されている。これは、同じ位置で読み取ると、片側の光源から出た光が紙を透過して逆側の画像読取りに悪影響を与えてしまう危険性があり、それを避けるためである。
【００４２】
本実施形態の画像読取装置は、両面同時読取り可能な画像読取装置であるが、原稿反転部４４〜４７も具備している。これは、第２の画像読取部７−２がカラー画像データを読めないため、両面のカラー原稿を従来どおり、第１の画像読取部７−１を用いて各面を逐次的に読むためのものである。具体的には原稿給紙用載置部３１に置かれたカラー両面原稿は、ローラ３２、ガイド３３、ローラ３４およびシート状ローラ３５により上から１枚ずつ給紙され、第１の画像読取部７−１の前を通過して第１面の読取りが行われる。
【００４３】
原稿はその後、シート状ローラ３５、ローラ３４によって逆方向に搬送され、原稿反転部４４〜４７を通って反転され、再び第１の画像読取部７−１の前を通過して第２面の読取りが行われて、原稿排紙部３８に排紙される。このようにカラー両面原稿の各面を逐次読み取ると、両面同時読取りを行う場合に比べて、反転時間を含めて２倍以上の時間がかかるが、逐次読取機能を備えることで利便性に優れている。
【００４４】
図５は、操作部６と原稿給紙部４０の外観図であり、複写機１のスキャナ部を上から見た図である。装置手前側に操作部６が配置され、原稿載置部上に原稿給紙部４０が配置される。操作部６には大型の液晶表示部５５の他に、テンキー類５６、キャンセルキー５７、ＯＫキー５８、スキャン設定開始キー５１、リモートコピー設定開始キー５２、ＦＡＸ設定開始キー５３およびローカルコピー設定開始キー５４等から構成されている。液晶表示部５５には任意の文字を表示することができ、ここに種々のメッセージが表示され、対話的に操作を行うことができる。
【００４５】
一方、原稿給紙部４０は、複写機でよく使われている装置であり、載置された複数のシート原稿を１枚ずつ読取位置まで給紙するための装置である。原稿給紙用載置部３１に置かれた原稿は、１枚ずつ給紙されて読取りが行われ、原稿排紙部３８に排紙される。
【００４６】
図６は、複写機１をスキャナとして使用する場合の操作フローの例であり、操作部６内の液晶表示部５５に表示されるメッセージの流れを示している。まず操作部６内のスキャン設定開始キー５１が押されると、まず画面６１が表示され、走査した画像を送るべき送り先のコンピュータを選択する。この画面では、予め登録されているコンピュータを１〜４にリスト表示し、その中から選択する。たとえば１のＡは、図３のコンピュータＡに対応する。画面６１では説明の簡略化のため４つしかリスト表示していないが、スクロールしたり、ぺージ切替えしたり、あるいはグループ化を行うことにより多くのリスト表示を行うことができる。選択は操作部上のテンキー５６を用いて指示し、ＯＫキー５８を押すことで確定する。
【００４７】
画面６１で一覧表示を選択すると画面６２に移り、現在ネットワークに接続されているコンピュータの一覧が表示され、そのうちから走査した画像を送るべき送り先のコンピュータを選択する。現在ネットワークに接続されているコンピュータを調べるためには、たとえば走査した画像を受け取る機能を持っているかどうかの問合わせを、ネットワークに接続されている全ての装置にブロードキャストする。そして、それに対する各装置の回答を調べることにより行う。走査した画像を送るべき送り先のコンピュータが決定すると、つぎに画面６３に移り、原稿が片面であるか両面であるかを指定する。
【００４８】
つぎに画面６４では、使用するカラーモードを指定する。本実施形態の場合、カラーモードにはフルカラーであるＲＧＢ２４ビットタイプ、１画素が白黒８ビットで構成される白黒多値、１画素が白黒１ビットで構成される白黒２値の３種類がある。つぎに画面６５では、読取サイズを指定する。本実施形態の場合、読取サイズにはＡ４縦であるＡ４ＳＥＦ（Short Edge Feed ）、Ａ４横であるＡ４、Ｂ４縦であるＢ４およびＡ３縦であるＡ３の４種類がある。つぎに画面６６では読取画像の解像度を指定する。本実施形態の画像読取部は、４００ｄｐｉの読取解像度を持ち、画面６６では４００ｄｐｉ以下の解像度を指定することができる。４００ｄｐｉ未満の解像度を指定した場合は、４００ｄｐｉで読み取った画像を画像処理部１４で間引き縮小することによりその解像度を実現する。解像度を大きくすると高解像度の画像が得られるが画像サイズも増加し、保存する場合のディスク容量も増え、転送時間もかかる。
【００４９】
つぎに画面６７では、読み込んだ後コンピュータに保存する場合に、どういうフォーマットで保存するかを選択する。生データは、読み込んだデータをそのままヘッダ等を付けずに保存することを意味する。ＴＩＦＦ形式やＰＩＣＴ形式はコンピュータの世界でよく使われているフォーマットであり、画像サイズ等の情報をヘッダ等の形で内包したフォーマットで保存することを意味する。ＪＰＥＧ圧縮は、標準的な圧縮方式の１つであるＪＰＥＧ圧縮を行ってからコンピュータに保存することを意味する。ＵＮＩＸ（登録商標）圧縮は、ＵＮＩＸ（登録商標）で標準的な圧縮方法で圧縮を行ってからコンピュータに保存することを意味する。画像のフォーマットにはこの他にも各種存在するが、この画面では各種のフォーマットのうちの１つを選択する。
【００５０】
つぎに画面６８では、保存するファイル名が表示され、走査を行うかどうかの最終指示画面となる。シート原稿を原稿給紙用載置部３１に置くか、あるいはブック原稿を原稿載置部４１に置き、走査を指示することで画像の読込みが開始される。そして指示した読取サイズ、指示したカラーモード、指示した解像度の画像データが、指示したコンピュータに送られ、指示したファイルフォーマットで保存される。このとき画面６３で両面原稿が指示されていると、原稿の両面が読み取られる。一方、片面原稿が指示されていると、原稿の片面のみが読み取られる。本実施形態ではファイル名は自動的に生成され、接頭語『ＩＭＧ』の後に走査した順番にシリアル番号がつけられ、最後にファイルフォーマットが生データであることを示す『．ｒａｗ』が付けられる。
【００５１】
つぎに図７は、複写機１をネットワーク複写機として使用する場合の操作フローの例を示している。まず操作部６内のリモートコピー設定開始キー５２が押される。すると、まず画面７１が表示され、走査した画像を送る送り先のネットワーク複写機を選択する。この画面では、予め登録されているネットワーク複写機を１〜４にリスト表示し、その中から選択する。図６におけるスキャナとしての送り先であるコンピュータと、図７におけるネットワーク複写機としての送り先であるネットワーク複写機とは異なるため異なる送り先が登録される。
【００５２】
画面７１で一覧表示を選択すると画面７２に移り、現在ネットワークに接続されているネットワーク複写機の一覧が表示され、そのうちから走査した画像を送るべき送り先のネットワーク複写機を選択する。現在ネットワークに接続されているネットワーク複写機を調べるためには、たとえばリモートコピー機能を持っているかどうかの問合わせを、ネットワークに接続されている全ての装置にブロードキャストし、それに対する各装置の回答を調べることにより行う。走査した画像を送るべき送り先のネットワーク複写機が決定すると、つぎに画面７３に移り、原稿が片面であるか両面であるかを指定する。
【００５３】
つぎに画面７４では、使用するカラーモードを指定する。つぎに画面７５では、送り先のネットワーク複写機で形成する部数を指示する。画面７６では、プリントを行う送り先のネットワーク複写機の給紙段を選択する。つぎに画面７７では、送り先のネットワーク複写機で行うフィニッシング処理を指示する。フィニッシング処理とは、用紙上に画像を形成した後、その用紙に対して行われる後処理であり、１部ごとに並べ替えるソート処理や、ソートされた用紙をステープルするステープル処理、あるいはソートされた用紙を糊付けして綴じるバインド処理などを意味する。
【００５４】
つぎに画面７８では、リモートコピーを行うかどうかの最終指示画面となる。シート原稿を原稿給紙用載置部３１に置くか、あるいはブック原稿を原稿載置部４１に置き、開始を指示することで画像の読込みが開始される。読み込まれた画像データは、指示したネットワーク複写機に送られる。そして、指示したネットワーク複写機２３において、指示した給紙段から給紙した用紙上に指示した部数だけプリントされ、指示したフィニッシング処理が施される。このとき画面７３で両面原稿が指示されていると、原稿の両面が読み取られる。一方、片面原稿が指示されていると、原稿の片面のみが読み取られる。
【００５５】
つぎに図８は、複写機１をＦＡＸとして使用する場合の操作フローの例を示している。まず操作部６内のＦＡＸ設定開始キー５３が押されると、まず画面８１が表示され、ファクシミリ送信を行う送り先を指定する。つぎに画面８２では、原稿が片面であるか両面であるかを指定する。つぎに画面８３では、カラーモードを指示する。つぎに画面８４では、解像度を指示する。ファクシミリ送信の場合は４００ｄｐｉを意味するファインと、７２ｄｐｉを意味するノーマルのどちらかを選択できる。つぎに画面８５では、読取サイズを指定する。
【００５６】
つぎに画面８６では、ファクシミリ送信を行うかどうかの最終指示画面となる。シート原稿を原稿給紙用載置部３１に置くか、ブック原稿を原稿載置部４１に置き、開始を指示することで画像の読込みが開始され、読み込まれた画像データが、公衆回線２１を経由して他のファクシミリ装置に送られる。このとき画面８２で両面原稿が指示されていると、原稿の両面が読み取られる。一方、片面原稿が指示されていると、原稿の片面のみが読み取られる。
【００５７】
つぎに図９は、複写機１をスタンドアロン複写機として使用する場合の操作フローの例を示している。まず操作部６内のローカルコピー設定開始キー５４が押されると、まず画面９１が表示され、原稿が片面であるか両面であるかを指定する。ローカルコピーの場合は、画像を形成するのは複写機１自体のプリンタ部１１であるため、送信先を選ぶ必要はない。つぎに画面９２では、原稿を読み取ってカラー画像データを得てカラー画像として形成を行うか、原稿を読み取って白黒多値画像データを得て白黒多値画像として形成を行うか、あるいは原稿を読み取って白黒２値画像データを得て白黒２値画像として形成を行うかのカラーモードを指示する。
【００５８】
つぎに画面９３では、プリンタ部１１で形成する部数を指示する。つぎに画面９４では、複写機１自体のプリンタ部１１の給紙段を選択する。つぎに画面９５では、プリンタ部１１で行うフィニッシング処理を指示する。つぎに画面９６では、解像度を指示する。ローカルコピーの場合は、４００ｄｐｉと２００ｄｐｉのどちらかを選択することができる。
【００５９】
つぎに画面９７では、ローカルコピーを行うかどうかの最終指示画面となる。シート原稿を原稿給紙用載置部３１に置くか、あるいはブック原稿を原稿載置部４１に置き、開始を指示することで画像の読込みが開始される。読み込まれた画像データが、複写機１自身のプリンタ部１１に送られる。プリンタ部１１において、指示した給紙段から給紙した用紙上に、指示したカラーモードで指示した部数だけプリントされ、指示したフィニッシング処理が施される。このとき画面９１で両面原稿が指示されていると、原稿の両面が読み取られる。一方、片面原稿が指示されていると、原稿の片面のみが読み取られる。
【００６０】
ここで、図１は、第１の実施形態におけるネットワーク複写機の制御フローを説明するためのフローチャートである。
まず電源オン後、ステップＳ１１では操作部６上のスキャン設定開始キー５１が押されたかどうかをチェックし、押されていればステップＳ１２〜ステップＳ１５の走査の設定処理を行う。
【００６１】
まず、ステップＳ１２では図６の操作フローに従って、操作者により宛先の指定２５と原稿タイプ、カラーモード、原稿サイズおよび解像度などの動作モードの設定を行う。つぎにステップＳ１３では指定された動作モードに対し、両面同時読取りが可能かどうかを判定する。本実施形態の第２の画像読取部７−２は、白黒多値の読取能力を持つため、カラー画像の読取りはできない。よって、画面６３で原稿タイプが両面と指定され、かつ画面６４でカラーモードとして白黒多値か白黒２値が指定された場合のみ、両面同時読取りが実行可能である。
【００６２】
両面同時読取りが可能な動作モードの場合、ステップＳ１４では両面原稿の各面を各画像読取部７−１，７−２を用いてほぼ同時に読み取る。そして読み取った画像データを一旦、画像メモリ１３に書き込み、ついで画像メモリ１３から読み出した画像データをネットワーク２経由でコンピュータ３−１，３−２等に送信する。両面同時読取りの場合、画像読取りは両面同時に行われるが、画像データの送信は本実施形態の場合、各面ごとに逐次的に行われる。
【００６３】
一方、両面同時読取りが可能でない動作モードの場合、ステップＳ１５では第１の画像読取部７−１を用いて片面読取りを行う。そして読み取った画像データを一旦、画像メモリ１３に書き込み、ついで画像メモリ１３から読み出した画像データをネットワーク２経由でコンピュータ３−１，３−２等に送信する。ステップＳ１５において両面原稿でカラーモードがフルカラーの場合には、片面を第１の画像読取部７−１を用いて読み取った後、原稿反転部４４〜４７を用いて原稿の反転を行い、残りの片面を第１の画像読取部７−１を用いて読み込む。
【００６４】
ステップＳ１１では走査設定開始キー５１が押されていない場合には、ステップＳ１６でリモートコピー設定開始キー５２が押されたかどうかをチェックし、押されていればステップＳ１７〜ステップＳ２０のリモートコピー設定処理を行う。
【００６５】
まず、ステップＳ１７では図７の操作フローに従って、操作者により宛先の指定と原稿タイプ、カラーモード、部数および給紙段などの動作モードの設定を行う。つぎにステップＳ１８では指定された動作モードに対し、両面同時読取りが可能かどうかを判定する。この場合、画面７３で原稿タイプが両面と指定され、かつ画面７４でカラーモードとして白黒多値か白黒２値が指定された場合にのみ両面同時読取りが実行可能である。
【００６６】
両面同時読取りが可能な動作モードの場合、ステップＳ１９では両面同時読取りを行う。そして読み取った画像データを一旦、画像メモリ１３に書き込み、ついで画像メモリ１３から読み出した画像データをネットワーク２経由でコンピュータ３−１，３−２等に送信する。両面同時読取りの場合、画像読取りは両面同時に行われるが、画像データの送信は本実施形態の場合、各面ごとに逐次的に行われる。
【００６７】
一方、両面同時読取りが可能でない動作モードの場合、ステップＳ２０では第１の画像読取部７−１を用いて片面読み取りを行う。そして読み取った画像データを一旦、画像メモリ１３に書き込み、ついで画像メモリ１３から読み出した画像データをネットワーク２経由で他のネットワーク複写機４−１，４−２等に送信する。ステップＳ２０において両面原稿でカラーモードがフルカラーの場合には走査の場合と同様、原稿反転部４４〜４７を用いて、第１の画像読取部７−１により各面を逐次的に読み込む。
【００６８】
ステップＳ１６においてリモートコピー設定開始キー５２が押されていない場合には、ステップＳ２１でＦＡＸ設定開始キー５３が押されたかどうかをチェックし、押されていればステップＳ２２〜ステップＳ２５のファクシミリ送信設定処理を行う。
【００６９】
まず、ステップＳ２２では図８の操作フローに従って、操作者により送り先の指定と原稿タイプ、カラーモード、解像度および原稿サイズなどの動作モードの設定を行う。つぎにステップＳ２３では指定された動作モードに対し、両面同時読取りが可能かどうかを判定する。この場合も、画面８２で原稿タイプが両面と指定され、かつ画面８３でカラーモードとして白黒多値か白黒２値が指定された場合にのみ両面同時読取りが実行可能である。
【００７０】
両面同時読取りが可能な動作モードの場合、ステップＳ２４では両面同時読取りを行う。そして読み取った画像データを一旦、画像メモリ１３に書き込み、ついで画像メモリ１３から読み出した画像データをＣＰＵ１５によりコード化して一旦画像メモリ１３に戻す。つぎにモデム２０、公衆回線２１経由で他のファクシミリ装置に送信する。両面同時読取りの場合、画像読取りは両面同時に行われるが、画像データの送信は本実施形態の場合、各面ごとに逐次的に行われる。
【００７１】
一方、両面同時読取りが可能でない動作モードの場合、ステップＳ２５では第１の画像読取部７−１を用いて片面読取りを行う。そして読み取った画像データを一旦、画像メモリ１３に書き込み、ついで画像メモリ１３から読み出した画像データをＣＰＵ１５によりコード化して一旦画像メモリ１３に戻し、つぎにモデム２０、公衆回線２１経由で他のファクシミリ装置に送信する。ステップＳ２５において、両面原稿でカラーモードがフルカラーの場合には走査の場合と同様、原稿反転部４４〜４７を用いて、第１の画像読取部７−１により各面を逐次的に読み込む。
【００７２】
ステップＳ２１においてＦＡＸ設定開始キー５３が押されていない場合には、ステップＳ２６でローカルコピー設定開始キー５４が押されたかどうかをチェックする。押されていない場合はステップＳ１１に戻るが、押されていればステップＳ２７〜ステップＳ３０のローカルコピー設定処理を行う。
【００７３】
ステップＳ２７では図９の操作フローに従って、操作者により原稿タイプ、カラーモード、部数および解像度などの動作モードの設定を行う。つぎにステップＳ２８では指定された動作モードに対し、両面同時読取りが可能かどうかを判定する。この場合も、画面９１で原稿タイプが両面と指定され、かつ画面９２でカラーモードとして白黒多値か白黒２値が指定された場合にのみ両面同時読取りが実行可能である。
【００７４】
両面同時読取りが可能な動作モードの場合、ステップＳ２９では両面同時読取りを行う。画像読取部７−１で読み取られた画像データについては、そのまま画像形成部１１に流されて画像形成が行われる。一方、画像読取部７−２で読み取られた画像データについては一旦、画像メモリ１３に書き込み、画像読取部７−１で読み取られた面の画像データの形成が終わった後、画像メモリ１３から読み出される。そして読み出された画像データは画像形成部１１に送られて画像形成が行われる。すなわち両面同時読取りの場合、画像読取りは両面同時に行われるが、画像データの形成は本実施形態の場合、各面ごとに逐次的に行われる。
【００７５】
一方、両面同時読取りが可能でない動作モードの場合、ステップＳ３０では第１の画像読み取り部７−１を用いて片面読み取りを行い、読み取った画像データは、そのまま画像形成部１１に流されて画像形成が行われる。ステップＳ３０において両面原稿でカラーモードがフルカラーの場合にはスキャンの場合と同様、原稿反転部４４〜４７を用いて、第１の画像読取部７−１により各面を逐次的に読み込む。
【００７６】
ステップＳ１３，Ｓ１８，Ｓ２３，Ｓ２８での両面同時読取り可能かどうかの判断において、原稿給紙部４０が図３（Ｂ）のように開いた状態では両面同時読取りは不可能である。よって、本実施形態ではこのとき、原稿タイプとして片面を指示されていればブック原稿であると判断して、ステップＳ１５，Ｓ２０，Ｓ２５，Ｓ３０でそれぞれ、ブック原稿の読取りを行う。一方、原稿タイプとして両面を指示されていれば、エラーを表示する。これに対し、たとえば原稿給紙部４０が図３（Ｂ）のように開いた状態では、原稿タイプとして両面を指示できないようにした構成も他の実施例として含まれる。
【００７７】
図１においては、説明の簡単化のためリモートコピー受信、ファクシミリ受信およびプリントの場合の制御フローは記載していないが、外部装置からネットワーク２経由または公衆回線２１経由でこれらの処理の依頼がきた場合は、その依頼に応じて制御が行われる。
【００７８】
（第２の実施形態）
本発明の第２の実施形態は、第１の実施形態とは第２の読取手段の読取能力と各機能の動作モードの設定方法と両面同時読取りを行うかどうかの判定方法のみが異なっている。ここでは、これらの相違部分のみを説明する。
【００７９】
まず第１の実施形態と異なる第１の点は、本実施形態の画像読取装置は、第１の実施形態の画像読取装置（図２のブロック図）同じ構成であるが、各面の画像読取部７−１と７−２の読取能力が、図１０の表のように構成されている点が異なる。
【００８０】
すなわち、まずブック原稿とシート原稿の両方の読取りに使う画像読取部７−１は第１の実施形態と同様、カラー多値の画像データを読め、画像処理部で変換することにより白黒多値も白黒２値のデータも得ることができる。また読取解像度は４００ｄｐｉで、これも画像処理部で解像度変換することにより、これよりも低い解像度のデータも得ることができる。またＡ４長手幅のＣＣＤで構成されているため、Ａ３縦までの原稿サイズを読むことができる。またＡ４縦原稿の読取速度は２秒である。ただし画像処理部で１ラインごとに間引くことにより、Ａ４縦原稿を４秒で読むことも可能な構成となっている。
【００８１】
一方、両面シート原稿の第２面目の読取りにのみ使う画像読取部７−２は、白黒２値のデータしか読みとれない構成となっている。白黒２値の画像読取部はカラーや白黒多値の画像読取部に比べ、ＣＣＤなどの部品も小型であり、光量も少なくて済む。また回路規模も小さいので、大きさ、重さ、コスト等の点で有利である。また読取解像度は２００ｄｐｉであり、これも安いＣＣＤが使えるため、コストの点で有利である。またＡ４短手幅のＣＣＤで構成されているため、Ａ４縦までの原稿サイズを読むことができる。この点でも安いＣＣＤが使え、ＣＣＤなどの部品も小型化できる。またＡ４縦原稿の読取速度は４秒となっていて、低速で動作させることにより読取りに必要な光量を減らすことができ、また回路の動作速度を遅くすることにより安価な部品が使え、コストの点で有利である。
【００８２】
第１の実施形態においては、画像読取部７−１と７−２の読取能力は、カラー多値と白黒多値の差だけであった。本実施形態においては、図１０のように多値／２値、読取解像度、読取サイズ、読取速度の点でも差がつけられている。この結果、画像読取部７−２は、画像読取部７−１に比べて、大きさ、重さ、コストの点でさらに有利となっている。
【００８３】
一方、本実施形態においては、画像読取部７−２の読取能力が図１０に示すような能力であるため、この能力で読みとれる場合にのみ両面同時読取りが可能になる。具体的には白黒２値であり、解像度が２００ｄｐｉ以下で、原稿サイズがＡ４縦以下の場合である。ただし現在、大量の両面文書は、白黒２値画像でＡ４サイズのものが多いので、本実施形態の構成においても多くの両面文書は両面同時読取りが可能である。
【００８４】
図１１は、第２の実施形態における複合機の制御フローを説明するためのフローチャートである。本実施形態の制御フローは第１の実施形態の制御フローと類似しているため、ここでは第１の実施形態の制御フローチャート（図１）との制御上の相違点のみを説明する。
【００８５】
図１１において、図１の場合とはステップＳ４１、ステップＳ４２、ステップＳ４６、ステップＳ４７およびステップＳ５３の処理のみが異なる。
まずステップＳ４１ではコンピュータ３からネットワーク２を経由して、走査指示コマンドがきたかどうかをチェックする。第１の実施形態では、走査動作モードの設定や走査開始指示は操作部６を用いて指示した。本実施形態では、コンピュータ３からネットワーク２を経由して、コマンドで指示する。
【００８６】
つぎにステップＳ４２では同様にして、コンピュータ３からネットワーク２を経由して、画像データの送り先や走査動作モードを受信する。ついでステップＳ４３ではこの動作モードにおいて、両面同時読取りが可能かどうかを判断する。本実施形態の場合、コンピュータ３からコマンドにより、動作モードとして両面原稿が指定され、白黒２値が指定され、また原稿サイズとしてＡ４ＳＥＦが指定され、２００ｄｐｉ以下の解像度が指定された場合にのみ両面同時読取りが可能である。
【００８７】
つぎにステップＳ４６ではコンピュータ３からネットワーク２を経由して、リモートコピー指示コマンドがきたかどうかをチェックする。第１の実施形態ではリモートコピー動作モードの設定やリモートコピー開始指示は操作部６を用いて指示した。本実施形態では、コンピュータ３からネットワーク２を経由して、コマンドで指示する。
【００８８】
つぎにステップＳ４７では同様にして、コンピュータ３からネットワーク２を経由して、画像データの送り先やリモートコピー動作モードを受信する。ついでステップＳ４８ではこの動作モードにおいて、両面同時読取りが可能かどうかをステップＳ４３と同様にして判断する。
【００８９】
つぎにファクシミリ送信処理の中のステップＳ５３では、両面同時読取りが可能かどうかを判定する代わりに、両面原稿かどうかのみを判定して、両面同時読取りを行うかどうかを決定する。これは、本実施形態においては、ファクシミリ送信の場合は、白黒２値で、解像度が２００ｄｐｉ以下であり、原稿サイズがＡ４縦以下に限定されているためである。よって、指定された動作モードに関係なくファクシミリ送信という機能を用いる場合は、両面原稿については必ず両面同時読取りが行われる。
【００９０】
本実施形態ではファクシミリ送信以外の場合は、使う動作モードにより両面同時読取りを行うかどうかを変えている。これを、各機能ごとに両面同時読取りを行うかどうかを変える場合も実施例として含まれる。たとえばファクシミリ送信のみは両面同時読取りを行い、それ以外は両面同時読取りを行わないようにした構成も実施例として含まれる。また同じファクシミリ送信であっても、全ての原稿を画像メモリに入れてから送信するメモリ送信の場合は、両面同時読取りを行い、原稿の読取りと送信を並行して行うダイレクト送信の場合は、両面同時読取りを行わないようにした構成も実施例として含まれる。
【００９１】
なお、上記の実施形態ではＡ４／Ａ３系列の原稿の場合について説明したが、レター／１１ｘ１７インチ等のインチ系の原稿の場合も同様である。
【００９２】
以上の各実施形態では複合機１を１つの装置で構成しているが、これを複数の装置の組み合わせ、たとえばローカル複写機とコントローラという２つの装置から構成した場合も本発明の実施例として含まれる。この場合、モデム２０や外部インタフェース５はコントローラ側につき、また構成によっては画像メモリ１３もコントローラ側につく。すなわちスタンドアロンのローカルコピー機能のみを用いるユーザの場合はローカル複写機だけで構成し、走査機能、プリント機能、リモートコピー機能、ＦＡＸ機能も用いるユーザの場合はローカル複写機にコントローラを追加する構成となる。このように分離して構成するのは、ローカルコピー機能のみを使う場合にはモデム２０や外部インタフェース５は不要であり、コストアップになるからである。この場合、さらにローカル複写機をスキャナ部と画像形成部１１に分離して構成した場合も本発明の実施例として含まれる。このように分離して構成するのは、走査機能のみを使う場合には画像形成部１１は不要であり、コストアップになるからである。
【００９３】
また以上の各実施形態においては、ローカルエリアネットワークで接続された例について説明したが、ネットワーク接続されていれば、たとえば日本国内の各支店間を結ぶようなワイドエリアネットワークでもいい。この場合には、Ａ支店のスキャナからＢ支店のコンピュータやＣ支店のネットワーク複写機に直接送りつけることが可能となる。また、インターネット経由でネットワーク接続されていてもよい。
【図面の簡単な説明】
【００９４】
【図１】本発明の第１の実施形態におけるネットワーク複写機の制御動作を示すフローチャートである。
【図２】本発明に係る画像読取装置のブロック図である。
【図３】本発明に係る画像読取装置の外観図である。
【図４】本発明に係るスキャナ部の概略断面図である。
【図５】本発明に係る操作部の外観図である。
【図６】本発明に係るスキャン時の操作フローを説明するための図である。
【図７】本発明に係るリモートコピー時の操作フローを説明するための図である。
【図８】本発明に係るファクシミリ送信時の操作フローを説明するための図である。
【図９】本発明に係るローカルコピー時の操作フローを説明するための図である。
【図１０】本発明の第２の実施形態における読取能力の差を説明するための図である。
【図１１】本発明の第２の実施形態におけるネットワーク複写機の制御動作を示すフローチャートである。
【符号の説明】
【００９５】
１    複写機
２    ネットワーク
７    画像読取部
８    読取特性補正部
９    画像処理部
１１    画像形成部
１３    画像メモリ
１４    画像データ
１５    ＣＰＵ
１６    ＲＯＭ
１７    揮発性ＲＡＭ
１８    不揮発性ＲＡＭ
２０    モデム
２１    公衆回線
３１    原稿給紙用載置部
３２    ローラ
３３    ガイド
３４    ローラ
３５    シート状ローラ
３８    原稿排紙部
４０    原稿給紙部
４４〜４７    原稿反転部
５１    スキャン設定開始キー
５２    リモートコピー設定開始キー
５３    ＦＡＸ設定開始キー
５５    液晶表示部
５６    テンキー類
【図１】
2006025445.tif 000003
【図２】
2006025445.tif 000004
【図３】
2006025445.tif 000005
【図４】
2006025445.tif 000006
【図５】
2006025445.tif 000007
【図６】
2006025445.tif 000008
【図７】
2006025445.tif 000009
【図８】
2006025445.tif 000010
【図９】
2006025445.tif 000011
【図１０】
2006025445.tif 000012
【図１１】
2006025445.tif 000013